(57)【要約】【課題】見栄えのよいインテリアになり、また、製造コストが低いにも拘らずアンテナの送受信特性が優れている、アンテナ組み込み置物を提供する。【解決手段】筐体１２ａの空洞部１４ａ内にディスコーンアンテナ１６が格納されているので、ディスコーンアンテナ１６を含む筐体１２ａがインテリアとして認識される。また、筐体１２ａの空洞部１４ａ内にディスコーンアンテナ１６が格納されていても、筐体１２ａが誘電体から成っているのでこの筐体１２ａは到来電波を遮蔽せず、しかもディスコーンアンテナ１６は広帯域で送受信可能であり且つ無指向性であるのでディスコーンアンテナ１６の送受信特性は筐体１２ａによる影響を受けにくい。【選択図】図１
2008177992.tif 000002
【特許請求の範囲】
【請求項１】
ディスコーンアンテナと、
誘電体から成っており前記ディスコーンアンテナを格納している空洞部が設けられている筐体と
を具備するアンテナ組み込み置物。
【請求項２】
前記ディスコーンアンテナの外表面と前記空洞部の内表面との間隔が一定である形状を前記空洞部が有している、請求項１に記載のアンテナ組み込み置物。
【請求項３】
前記空洞部の形状が円錐台である、請求項１に記載のアンテナ組み込み置物。
【請求項４】
前記誘電体がガラスである、請求項１に記載のアンテナ組み込み置物。
【発明の詳細な説明】
【技術分野】
【０００１】
本発明は、主に室内で無線電波を送受信するためのアンテナ組み込み置物に関するものである。
【背景技術】
【０００２】
例えばテレビジョン放送受信用の室内アンテナとして、特許文献１や特許文献２に記載されているアンテナが知られている。これらの室内アンテナには、使用時に伸長されるＶＨＦ帯受信用のロッドアンテナと、不透明な合成樹脂製のアンテナ保持枠に保持されているＵＨＦ帯受信用のダイポールアンテナまたはループアンテナとが、基台上に設けられている。
【特許文献１】特開平７−２４９９２２号公報
【特許文献２】特開２００５−３１１９６０号公報
【発明の開示】
【発明が解決しようとする課題】
【０００３】
しかし、上述の従来の室内アンテナでは、室内で使用されて頻繁に目に触れるにも拘らず、ロッドアンテナの見栄えがよくないために室内アンテナ全体の見栄えもよくない。また、特に伸長状態では、ロッドアンテナが人体や物体に接触して折れることがあり、接触時にロッドアンテナが折れなくても室内アンテナ全体の向きが変えられて受信感度が低下することがある。
【０００４】
上述の従来の室内アンテナの見栄えをよくするために、これらの室内アンテナにインテリア置物を覆い被せて、室内アンテナよりもこのインテリア置物を主に目に触れさせることも考えられる。しかし、これでは、アンテナ本来の機能である送受信の特性が悪化する。つまり、インテリア置物が金属製であれば、インテリア置物が到来電波を遮蔽して、アンテナが到来電波を受信できない。
【０００５】
また、インテリア置物がガラス等の誘電体製であっても、アンテナの誘電率と誘電体の誘電率との相違がアンテナのインピーダンスや指向性に影響を及ぼす。このため、インテリア置物内にアンテナを格納した後にアンテナの共振周波数を再調整しなければ、アンテナの送受信特性が悪化し、インテリア置物内にアンテナを格納した後にアンテナの共振周波数を再調整すれば、アンテナの製造コストが高くなる。
【０００６】
従って、本発明は、見栄えのよいインテリアになり、また、製造コストが低いにも拘らずアンテナの送受信特性が優れている、アンテナ組み込み置物を提供することを目的としている。
【課題を解決するための手段】
【０００７】
請求項１に係るアンテナ組み込み置物では、筐体の空洞部内にディスコーンアンテナが格納されているので、ディスコーンアンテナを含む筐体がインテリアとして認識される。また、筐体の空洞部内にディスコーンアンテナが格納されていても、筐体が誘電体から成っているのでこの筐体は到来電波を遮蔽せず、しかもディスコーンアンテナは広帯域で送受信可能であり且つ無指向性であるのでディスコーンアンテナの送受信特性は筐体による影響を受けにくい。
【０００８】
請求項２に係るアンテナ組み込み置物では、ディスコーンアンテナの外表面と筐体の空洞部の内表面との間隔が一定である形状を筐体の空洞部が有しているので、筐体の空洞部内にディスコーンアンテナが格納されていても、ディスコーンアンテナの送受信特性は筐体による影響を特に受けにくい。
【０００９】
請求項３に係るアンテナ組み込み置物では、筐体の空洞部の形状が円錐台であるので、ディスコーンアンテナの外表面と筐体の空洞部の内表面との間隔が一定である形状に比べて筐体の空洞部の形状が簡単である。そして、それにも拘らず、ディスコーンアンテナの外表面と筐体の空洞部の内表面との間隔が一定である形状に筐体の空洞部の形状が近いので、ディスコーンアンテナの送受信特性は筐体による影響を依然として受けにくい。
【００１０】
請求項４に係るアンテナ組み込み置物では、筐体を形成している誘電体がガラスであるので、ディスコーンアンテナを含む筐体が透明感のあるインテリアとして認識される。
【発明の効果】
【００１１】
請求項１に係るアンテナ組み込み置物では、ディスコーンアンテナを含む筐体がインテリアとして認識されるので、見栄えのよいインテリアになる。また、筐体の空洞部内にディスコーンアンテナが格納されていても、この筐体は到来電波を遮蔽せずしかもディスコーンアンテナの送受信特性は筐体による影響を受けにくいので、筐体内へのディスコーンアンテナの格納後にこのディスコーンアンテナの共振周波数を再調整する必要がなくて製造コストが低いにも拘らず、ディスコーンアンテナの送受信特性が優れている。
【００１２】
請求項２に係るアンテナ組み込み置物では、筐体の空洞部内にディスコーンアンテナが格納されていても、ディスコーンアンテナの送受信特性は筐体による影響を特に受けにくいので、筐体内へのディスコーンアンテナの格納後にこのディスコーンアンテナの共振周波数を再調整しなくてもディスコーンアンテナの送受信特性が特に優れている。
【００１３】
請求項３に係るアンテナ組み込み置物では、ディスコーンアンテナの外表面と筐体の空洞部の内表面との間隔が一定である形状に比べて筐体の空洞部の形状が簡単であるので、製造コストが更に低い。そして、それにも拘らず、ディスコーンアンテナの送受信特性は筐体による影響を依然として受けにくいので、格納後にディスコーンアンテナの共振周波数を再調整しなくてもディスコーンアンテナの送受信特性が優れている。
【００１４】
請求項４に係るアンテナ組み込み置物では、ディスコーンアンテナを含む筐体が透明感のあるインテリアとして認識されるので、更に見栄えのよいインテリアになる。
【発明を実施するための最良の形態】
【００１５】
以下、図面を参照しながら、本発明の第一及び第二実施形態並びに比較形態を説明する。図１が第一実施形態のアンテナ組み込み置物１１ａを示しており、図２〜４がこのアンテナ組み込み置物１１ａにおけるガラス製の筐体１２ａを示している。図２〜４に示されている様に、筐体１２ａは各辺の長さが１００ｍｍの立方体であり、筐体１２ａにはその底面１３の中央に開口している空洞部１４ａが設けられている。空洞部１４ａの形状は、底面の直径６０ｍｍ、天面の直径４０ｍｍ、高さ５５ｍｍの円錐台である。底面１３の一辺の中央と空洞部１４ａとの間には、幅１０ｍｍ、深さ５ｍｍの断面半円形の溝１５が設けられている。
【００１６】
空洞部１４ａ内にはディスコーンアンテナ１６が格納されており、一例として、無線ＬＡＮで使用されている２．４ＧＨｚ帯域と５ＧＨｚ帯域との二帯域に対応しているディスコーンアンテナ１６が図５、６に示されている。ディスコーンアンテナ１６はディスク部１７と電波の反射部になっているコーン部１８とから成っており、これらの何れもが薄い銅板等の導電性部材で形成されている。ディスク部１７の直径は３１ｍｍであり、コーン部１８の形状は底面の直径５０ｍｍ、天面の直径４ｍｍの空洞状の円錐台である。ディスク部１７とコーン部１８の天面との間隔は１ｍｍであり、コーン部１８の底面からディスク部１７までの高さは４４ｍｍである。
【００１７】
給電線としての同軸ケーブル２１が溝１５内及びコーン部１８の内側を通過しており、同軸ケーブル２１の一端の芯線がディスク部１７の中心に接続されると共に編線つまりアースがコーン部１８の天面に接続されている。同軸ケーブル２１の他端にはコネクタ２２が接続されており、このコネクタ２２が筐体１２ａの外側面に露出している。筐体１２ａの底面１３には適切な蓋（図示せず）があてがわれており、空洞部１４ａ内及び溝１５内からのディスコーンアンテナ１６及び同軸ケーブル２１の脱落が防止されている。
【００１８】
図７が、第二実施形態のアンテナ組み込み置物１１ｂを示している。このアンテナ組み込み置物１１ｂでは筐体１２ｂの空洞部１４ｂの形状のみが第一実施形態のアンテナ組み込み置物１１ａと相違しており、筐体１２ｂの材料と空洞部１４ｂ内に格納されているディスコーンアンテナ１６とは第一実施形態のアンテナ組み込み置物１１ａと同じである。空洞部１４ｂの形状は、ディスコーンアンテナ１６の外表面と空洞部１４ｂの内表面との間隔が５ｍｍで一定になっている形状である。
【００１９】
図８が、比較形態のアンテナ組み込み置物１１ｃを示している。このアンテナ組み込み置物１１ｃでは筐体１２ｃの空洞部１４ｃの形状のみが第一実施形態のアンテナ組み込み置物１１ａと相違しており、筐体１２ｃの材料と空洞部１４ｃ内に格納されているディスコーンアンテナ１６とは第一実施形態のアンテナ組み込み置物１１ａと同じである。空洞部１４ｃの形状は、底面及び天面の直径６０ｍｍ、高さ５５ｍｍの円柱である。
【００２０】
図９は、以上の第一及び第二実施形態並びに比較形態のアンテナ組み込み置物１１ａ、１１ｂ、１１ｃによる１ＧＨｚ〜７ＧＨｚの帯域でのＶＳＷＲ（Voltage Standing Wave Ratio:電圧定在波比）を示している。図１０は、図９のうちの２ＧＨｚ〜２．５ＧＨｚの帯域及び５ＧＨｚ〜５．５ＧＨｚの帯域でのＶＳＷＲを拡大して示している。
【００２１】
ＶＳＷＲが１の場合に、ディスコーンアンテナ１６のインピーダンスと同軸ケーブル２１の特性インピーダンスとが整合しており、ディスコーンアンテナ１６から同軸ケーブル２１へ向かう進行波のみが存在していて反射波が存在していない。このため、図１０によると、第二実施形態のアンテナ組み込み置物１１ｂの送受信特性が最も優れており、第一実施形態のアンテナ組み込み置物１１ａの送受信特性がその次に優れており、比較形態のアンテナ組み込み置物１１ｃの送受信特性は第一及び第二実施形態のアンテナ組み込み置物１１ａ、１１ｂの送受信特性よりも劣っている。
【００２２】
図１１は、第一及び第二実施形態並びに比較形態のアンテナ組み込み置物１１ａ、１１ｂ、１１ｃによる２ＧＨｚ〜２．５ＧＨｚの帯域及び５ＧＨｚ〜５．５ＧＨｚの帯域でのスミスチャートである。この図１１には、２．４ＧＨｚ及び５．２ＧＨｚにおけるスミスチャート上でのアンテナ組み込み置物１１ａ、１１ｂ、１１ｃの位置が丸印で示されている。
【００２３】
スミスチャート上では、中心位置において、ディスコーンアンテナ１６のインピーダンスと同軸ケーブル２１の特性インピーダンスとが整合しており、ディスコーンアンテナ１６から同軸ケーブル２１へ向かう進行波のみが存在していて反射波が存在していない。このため、図１１によると、第二実施形態のアンテナ組み込み置物１１ｂの送受信特性が最も優れており、第一実施形態のアンテナ組み込み置物１１ａの送受信特性がその次に優れており、比較形態のアンテナ組み込み置物１１ｃの送受信特性は第一及び第二実施形態のアンテナ組み込み置物１１ａ、１１ｂの送受信特性よりも劣っている。
【００２４】
また、図１１からも、２．４ＧＨｚでは、第一及び第二実施形態のアンテナ組み込み置物１１ａ、１１ｂのＶＳＷＲが互いに同程度であって比較形態のアンテナ組み込み置物１１ｃよりも１に近く、５．２ＧＨｚでは、第二実施形態のアンテナ組み込み置物１１ｂのＶＳＷＲが１に最も近く、第一実施形態のアンテナ組み込み置物１１ａのＶＳＷＲが１にその次に近く、比較形態のアンテナ組み込み置物１１ｃのＶＳＷＲが１に最も遠いことが分かる。
【００２５】
なお、以上の第一及び第二実施形態のアンテナ組み込み置物１１ａ、１１ｂでは、筐体１２ａ、１２ｂがガラス製であるが、これらの筐体１２ａ、１２ｂはセラミック等のガラス以外の誘電体から成っていてもよい。また、ディスコーンアンテナ１６のコーン部１８の側面は導電性部材で完全に閉塞されているが、図１２（ａ）に示されている様に複数の三角形の開口２３がコーン部１８の側面に設けられていたり、図１２（ｂ）に示されている様に円錐台の母線状にのみ導電性部材が存在していたりしてもよい。
【産業上の利用可能性】
【００２６】
本発明は、主に室内で無線電波を送受信するためのアンテナ組み込み置物の製造等に利用することができる。
【図面の簡単な説明】
【００２７】
【図１】本発明の第一実施形態のアンテナ組み込み置物の斜視図である。
【図２】本発明の第一実施形態のアンテナ組み込み置物における筐体の、底面側から見た斜視図である。
【図３】本発明の第一実施形態のアンテナ組み込み置物における筐体の側面図である。
【図４】本発明の第一実施形態のアンテナ組み込み置物における筐体の底面図である。
【図５】本発明の第一及び第二実施形態並びに比較形態のアンテナ組み込み置物におけるディスコーンアンテナの斜視図である。
【図６】本発明の第一及び第二実施形態並びに比較形態のアンテナ組み込み置物におけるディスコーンアンテナの側面図である。
【図７】本発明の第二実施形態のアンテナ組み込み置物の側面図である。
【図８】本発明の比較形態のアンテナ組み込み置物の斜視図である。
【図９】本発明の第一及び第二実施形態並びに比較形態のアンテナ組み込み置物による１ＧＨｚ〜７ＧＨｚの帯域でのＶＳＷＲのグラフである。
【図１０】図９のうちの２ＧＨｚ〜２．５ＧＨｚの帯域及び５ＧＨｚ〜５．５ＧＨｚの帯域でのＶＳＷＲの拡大グラフである。
【図１１】本発明の第一及び第二実施形態並びに比較形態のアンテナ組み込み置物による２ＧＨｚ〜２．５ＧＨｚの帯域及び５ＧＨｚ〜５．５ＧＨｚの帯域でのスミスチャートである。
【図１２】本発明の変形形態のアンテナ組み込み置物におけるディスコーンアンテナのコーン部の側面図である。
【符号の説明】
【００２８】
１１ａ、１１ｂ    アンテナ組み込み置物
１２ａ、１２ｂ    筐体
１４ａ、１４ｂ    空洞部
１６    ディスコーンアンテナ
【図１】
2008177992.tif 000003
【図２】
2008177992.tif 000004
【図３】
2008177992.tif 000005
【図４】
2008177992.tif 000006
【図５】
2008177992.tif 000007
【図６】
2008177992.tif 000008
【図７】
2008177992.tif 000009
【図８】
2008177992.tif 000010
【図９】
2008177992.tif 000011
【図１０】
2008177992.tif 000012
【図１１】
2008177992.tif 000013
【図１２】
2008177992.tif 000014